(57)【要約】【課題】従来は手の甲や手の平の一部に限り指圧可能な時計用指圧具や腕輪が知られている。しかしながら全身に点在する複数の人体のつぼを積極的に指圧できるものではなかった。また、従来の一般的な腕時計においても、点在するつぼを積極的に指圧できるものでは知られていない。【解決手段】本発明の特徴は、腕時計の従来の通例である動作に人体のつぼを指圧する行為を連動させた点にあり、腕時計ケース側面に人体のつぼ指圧用の突起を設けることで、人体のいたる場所に点在するつぼを自由に指圧し、血管を押圧する作用と血液系を刺激する作用を提供できるようになる。同時に腕時計の発電やぜんまいの巻上げを実現可能にしている。人体のつぼを指圧する目的が付加されることで、発電やぜんまいの巻き上げという行為が楽しく、健康的なものに変わる。【選択図】                  図１
2005062070.tif 000002
【特許請求の範囲】
【請求項１】
時計駆動用の動力を作り出すための回転錘を備えた腕時計において、時計ケース外周側面部に人体のつぼ指圧用の突起を設けたことを特徴とする指圧具付き腕時計。
【請求項２】
前記突起は前記時計ケース外周側面部の文字盤８Ｈから１０Ｈの間いずれかの位置にあることを特徴とする請求項１に記載の指圧具付き腕時計。
【請求項３】
前記回転錘によって発電する発電機を備えたことを特徴とする請求項１または２に記載の指圧具付き腕時計。
【請求項４】
前記回転錘によって動力ぜんまいを巻き上げる機構を有することを特徴とする請求項１または２記載の指圧具付き腕時計。
【請求項５】
前記突起は、前記時計ケース外周側面部に２つ以上存在することを特徴とする請求項１ないし４のいずれかに記載の指圧具付き腕時計。
【請求項６】
前記突起の先端形状が各々異なることを特徴とする請求項５に記載の指圧具付き腕時計。
【請求項７】
前記突起は、各々異なった材質からなることを特徴とする請求項５に記載の指圧具付き腕時計。
【請求項８】
前記突起は、前記時計ケースとは別体に製造され、かつ前記時計ケースに脱着可能であることを特徴とする請求項１ないし４のいずれかに記載の指圧具付き腕時計。
【請求項９】
前記突起は、前記時計ケースと一体に製造されたことを特徴とする請求項１ないし４のいずれかに記載の指圧具付き腕時計。
【発明の詳細な説明】
【技術分野】
【０００１】
本発明は、回転錘を備えた腕時計であって指圧具付きの腕時計に関する。
【背景技術】
【０００２】
従来は図１４（実用新案第３０３９８７５号）に示すような腕時計の裏蓋側に接着されるプレート底面から突出する複数の突起により、腕時計を腕に装着した状態で、腕の表側表面の一部に限り指圧可能な腕時計用指圧具が知られている。しかしながら、指圧場所が腕の表側表面の一部分に限定され、図１６に一例を示すような人体に点在する複数のつぼを積極的に指圧できるものではなかった。
【０００３】
また、図１５（特開２００３−７０８７４号）に示すように、手首内側のみに限定してつぼを刺激するタイプの腕輪が知られている。しかしながら前記指圧具と同様に、指圧場所が手首の一部分に限定されてしまい、やはり全身に点在する複数の人体のつぼを積極的に指圧できるものではなかった。
【０００４】
【特許文献１】実用新案第３０３９８７５号
【０００５】
【特許文献２】特開２００３−７０８７４号
【発明の開示】
【発明が解決しようとする課題】
【０００６】
腕時計の中には、回転錘を巻き上げることによって時計駆動用の動力を蓄える回転錘付きの腕時計が知られている。この回転錘付きの腕時計としては、回転錘の回転により香箱のゼンマイを巻き上げる機械式腕時計と、回転錘の回転によりロータを回転させ、それにより発生する磁力を電力に変換して２次電池等に電力を蓄える発電式クオーツ時計が知られているが、これらいずれの回転錘付き腕時計においても、継続的に動力を蓄える必要があるために、ユーザが時計を腕に装着した状態で腕を一定以上の時間振る必要があった。
【０００７】
しかしながら、ユーザも時には、腕を振って歩く、走る等の運動量が不足する場合がある。この場合においては、ぜんまいの巻上げ量や発電量を確実に確保するために、腕から腕時計を外して、図３に示すように手の平に腕時計を打ち付けたり、または、図１７に示すようにバンド部分を手で握り締め、手首のスナップを利用して振ることにより、強制的に巻上げもしくは発電を行うのが習慣になっている。
【０００８】
本発明の特徴はこの習慣に着目し、巻上げや発電と同時に人体のつぼを指圧する二重の効果を得られることを発見した点にある。本発明の目的は、手首等の一個所に限定されることなく、図１６に示すような人体のいたる場所にあるつぼを自由に指圧でき、血管を押圧する作用と血液系を刺激する作用を提供し、同時に腕時計の発電およびぜんまいの巻き上げを実現することである。人体のつぼを指圧する目的が付加されることで、腕時計のぜんまいの巻き上げや発電という行為が楽しく、健康的なものに変わる。
【課題を解決するための手段】
【０００９】
本発明の指圧具付き腕時計によれば、前記目的を達成するために、時計駆動用の動力を作り出すための回転錘を備えた腕時計において、時計ケース外周側面部に人体のつぼ指圧用の突起を設けたことを特徴とする。
【００１０】
また、前記突起は前記時計ケース外周側面部の文字盤８Ｈから１０Ｈの間いずれかの位置にあることを特徴とする。
【００１１】
更に、前記回転錘によって発電する発電機を備えたことを特徴とする。
【００１２】
または、前記回転錘によって動力ぜんまいを巻き上げる機構を有することを特徴とする。
【００１３】
また本発明は、前記突起は、前記時計ケース外周側面部に２つ以上存在することを特徴とする。
【００１４】
また本発明は、前記突起の先端形状が各々異なることを特徴とする。
【００１５】
また本発明は、前記突起は、各々異なった材質からなることを特徴とする。
【００１６】
また本発明は、前記突起は、前記時計ケースとは別体に製造され、かつ前記時計ケースに脱着可能であることを特徴とする。
【００１７】
また本発明は、前記突起は、前記時計ケースと一体に製造されたことを特徴とする。
【発明を実施するための最良の形態】
【００１８】
本発明の目的および特徴を、添付図面を参照して以下に詳しく説明する。
【００１９】
〔第一実施形態〕
本発明による腕時計の外観構成は、図１に示す時計ケース１、バンド２、時刻修正機構部であるりゅうず３、場合によってはストップウオッチ等付加機構の操作部であるボタン４、時刻を表示する針５、及びつぼ指圧用の突起６から成る。
【００２０】
また一般的に回転錘７は時計駆動体の中心付近にある場合が多く、図２のような位置にあって、腕時計側面方向に振動、衝撃が加わった場合、回転錘自身のアンバランスにより回転動作をするものである。図１７に示すように手首を振ることで前記回転錘を回転させ、ぜんまいの巻上げもしくは発電を行う。または図３に示すように手の平に打ち付けて前記回転錘を回転させ、ぜんまいの巻上げもしくは発電を行う。
【００２１】
本発明の場合には、図１７に示す動作を、指圧する目的を兼ねて図１６に示す人体の各種つぼに対し、前記腕時計の突起部を打ち付けながら前記回転錘を回転させる。
【００２２】
尚、突起物６の時計ケース１の外周側面部からの高さは概ね２ｍｍ〜１０ｍｍ程度である。
【００２３】
〔第二実施形態〕
前記突起６の位置としては、指圧動作によりボタン４やりゅうず３が誤動作しない位置が好ましい。具体的には、図１にあるように、時計ケース１のバンド取り付け部の突出部や、りゅうず３、あるいはボタン４を避けた９Ｈの位置が好ましい。または、ユーザの指圧動作個所の好みによって、図１８に示すように、時計ケース１の外周側面部の文字盤８Ｈから１０Ｈの間のいずれかの位置にあるのが好ましい。
【００２４】
〔第三実施形態〕
発電式クオーツ時計の発電機構は図４に示す通り、回転錘７、伝達用歯車類８、ロータ９、ステータ １０、コイル１１から成り、制御回路１２を介して二次電池１３に蓄電されるしくみとなっている。
【００２５】
〔第四実施形態〕
また、機械式腕時計のぜんまい巻き上げ機構は図５に示す通り、回転錘１４、伝達用歯車類１５、香箱真１６を介してぜんまい１７が巻き上るしくみとなっている。
【００２６】
〔第五実施形態〕
指圧効果を高めるために、場合によっては突起６は複数存在することが好ましい。これにより、１回の指圧動作で効率的なつぼ刺激を得ることができる。図１に示すように、突起６が１つのものから図６に示すように２つのもの、あるいは図７に示すように３つのものがある。場合によっては更に多くの突起を有す場合もある。
【００２７】
〔第六実施形態〕
指圧効果をより高めるために突起６はその先端形状が異なる場合がある。図８に示すように突起６の上面２０から突出する先端Ｒが大きな突起を有するものや、図９に示すように突起上面１８から突出する複数のいぼのような突起を有するもの、あるいは図１０に示すような突起上面１９から突出する先端Ｒが小さな細長い単一の突起を有するもの等がある。
【００２８】
〔第七実施形態〕
突起６については、ユーザのニーズから突起６の種類を交換可能とするために、時計ケース１と突起６を別体に製造して図１１に示すように両面テープや接着剤により一体化したものや、図１２に示すようにネジにより固定する方法等がある。
【００２９】
〔第八実施形態〕
突起６について、図１３に示すように製造の便宜上等の理由から、時計ケース１と突起６を一体に製造する場合がある。また、突起について、仕様の違い等の理由からその材質が樹脂または金属等で製造される場合がある。
【００３０】
〔第九実施形態〕
突起６について、製造の便宜上あるいは、指圧効果を高めるため等の理由からその材料が樹脂類や、金属類である場合がある。
【産業上の利用可能性】
【００３１】
発電式腕時計および自動巻き機械式腕時計分野
【図面の簡単な説明】
【００３２】
【図１】本発明の外観構成図。
【図２】回転錘の動作図。
【図３】手動による回転錘動作方法。
【図４】発電機構の説明図。
【図５】ぜんまい巻上げ機構の説明図。
【図６】２つ存在する突起。
【図７】３つ存在する突起。
【図８】先端Ｒが大きな突起。
【図９】先端に複数のいぼ状の突起を有する突起。
【図１０】先端Ｒが小さく細長い突起。
【図１１】ケースと別体に製造し接着された突起。
【図１２】ネジによりケースに固定された突起。
【図１３】ケースと一体に製造された突起。
【図１４】腕時計の裏蓋側に接着された指圧具。
【図１５】手首内側に突起物を形成できる腕輪。
【図１６】人体に点在するつぼの位置の一例。
【図１７】手首のスナップを利用して時計を振った状態。
【図１８】文字盤８Ｈから１０Ｈの間に配置される突起。
【符号の説明】
【００３３】
１  時計ケース
２  バンド
３  りゅうず
４  ボタン
５  針
６  突起
７  回転錘
８  伝達用歯車類
９  ロータ
１０  ステータ
１１  コイル
１２  制御回路
１３  二次電池
１４  回転錘
１５  伝達用歯車類
１６  香箱真
１７  ぜんまい
１８〜２０  突起上面
【図１】
2005062070.tif 000003
【図２】
2005062070.tif 000004
【図３】
2005062070.tif 000005
【図４】
2005062070.tif 000006
【図５】
2005062070.tif 000007
【図６】
2005062070.tif 000008
【図７】
2005062070.tif 000009
【図８】
2005062070.tif 000010
【図９】
2005062070.tif 000011
【図１０】
2005062070.tif 000012
【図１１】
2005062070.tif 000013
【図１２】
2005062070.tif 000014
【図１３】
2005062070.tif 000015
【図１４】
2005062070.tif 000016
【図１５】
2005062070.tif 000017
【図１６】
2005062070.tif 000018
【図１７】
2005062070.tif 000019
【図１８】
2005062070.tif 000020